(57)【要約】【課題】簡便な操作により、既にスキャンが完了されて所定の記憶領域に保存されている原稿画像データファイルを、後でスキャンして得た原稿画像データで更新することができる画像処理装置の提供。【解決手段】スキャナ部が読み取った原稿の画像データファイルを生成するデータ変換部と、画像データファイルを保存画像データファイルとして保持する記憶部と、スキャナ部が新たに読み取った別原稿に基づいてデータ変換部により生成された別原稿のスキャン画像データファイルに含まれる画像データを検索キーとして記憶部に保持された保存画像データファイルを検索し、検索キーの画像に対応する画像を有する保存画像データファイルを特定保存画像データファイルとして特定するデータ検索部と、スキャン画像データファイルに含まれる画像データの少なくとも一部分を用いて、特定保存画像データファイルを更新するデータ更新処理部と、を有する画像処理装置。【選択図】図１
2011066672.tif 000002
【特許請求の範囲】
【請求項１】
原稿を読み取るスキャナ部と、
前記スキャナ部が読み取った原稿の画像データファイルを生成するデータ変換部と、
前記画像データファイルを保存画像データファイルとして保持する記憶部と、
前記スキャナ部が新たに読み取った別原稿に基づいて前記データ変換部により生成された前記別原稿のスキャン画像データファイルに含まれる画像データを検索キーとして前記記憶部に保持された保存画像データファイルを検索し、前記検索キーの画像に対応する画像を有する保存画像データファイルを特定保存画像データファイルとして特定するデータ検索部と、
前記検索キーとして用いられた画像データ以外の前記スキャン画像データファイルに含まれる画像データの少なくとも一部分を用いて、前記特定保存画像データファイルを更新するデータ更新処理部と、を有する画像処理装置。
【請求項２】
前記データ変換部は、ページ構成を備えた画像データファイルを生成し、
前記データ検索部は、前記別原稿のスキャン画像データファイルの少なくとも１つのページを検索キー・ページとして検索を実行し、前記特定保存画像データファイルに含まれる前記検索キー・ページに対応するページを特定ページとして特定し、
前記データ更新処理部は、前記検索キー・ページとして用いられたページの画像データ以外の前記スキャン画像データファイルに含まれるページの画像データの少なくとも一部分を用いて、前記特定保存画像データファイルを更新する、請求項１に記載の画像処理装置。
【請求項３】
前記データ更新処理部は、前記スキャン画像データファイルにおいて前記検索キー・ページよりも前にあるページの画像データを、前記特定保存画像データファイルにおいて前記特定ページよりも前のページとして前記特定保存画像データファイルに追加するようにして前記更新を行う、請求項２に記載の画像処理装置。
【請求項４】
前記データ更新処理部は、前記スキャン画像データファイルにおいて前記検索キー・ページよりも後ろにあるページの画像データを、前記特定保存画像データファイルにおいて前記特定ページよりも後ろのページとして前記特定保存画像データファイルに追加するようにして前記更新を行う、請求項２に記載の画像処理装置。
【請求項５】
前記データ検索部が、前記特定保存画像データとして複数の保存画像データを特定した場合、
前記データ更新処理部は、前記複数の特定保存画像データの全てに対し、それぞれの特定ページにかかる前記更新を行う、請求項２に記載の画像処理装置。
【請求項６】
前記データ更新処理部は、前記検索キー・ページとして用いられたページの画像データ以外の前記スキャン画像データファイルに含まれるページの画像データの少なくとも一部分を、前記特定保存画像データファイルの前記特定ページと差し替えるようにして前記更新を行う、請求項２に記載の画像処理装置。
【請求項７】
前記データ検索部は、前記別原稿のスキャン画像データファイルの２つ以上のページを検索キー・ページとして検索を実行し、１つの前記特定保存画像データファイルに複数の前記特定ページが含まれる場合には、前記２つ以上の検索キー・ページの間に挟まれて前記スキャン画像データファイルに含まれるページの画像データの少なくとも一部分を、前記特定保存画像データファイルの前記複数の特定ページの間に挟まれたページと差し替えるようにして前記更新を行う、請求項６に記載の画像処理装置。
【請求項８】
さらに、前記スキャナ部が読み取って前記データ変換部が生成した画像データファイルを一時保存画像データファイルとして一時的に保持するスキャンデータ一時記憶部を有し、
前記データ検索部は、前記記憶部に保持された保存画像データファイルに対する検索において前記特定保存画像データファイルを特定できなかった場合には、前記スキャンデータ一時記憶部に保持される前記一時保存画像データファイルに対して前記検索を実行する、請求項１に記載の画像処理装置。
【請求項９】
スキャナ部が、原稿を読み取るステップと、
データ変換部が、前記スキャナ部が読み取った原稿の画像データファイルを生成するステップと、
記憶部が、前記画像データファイルを保存画像データファイルとして保持するステップと、
データ検索部が、前記スキャナ部が新たに読み取った別原稿に基づいて前記データ変換部により生成された前記別原稿のスキャン画像データファイルに含まれる画像データを検索キーとして前記記憶部に保持された保存画像データファイルを検索し、前記検索キーの画像に対応する画像を有する保存画像データファイルを特定保存画像データファイルとして特定するステップと、
データ更新処理部が、前記検索キーとして用いられた画像データ以外の前記スキャン画像データファイルに含まれる画像データの少なくとも一部分を用いて、前記特定保存画像データファイルを更新するステップと、を有する画像処理方法。
【請求項１０】
画像処理装置のコンピュータが読み取って実行可能なプログラムであって、
スキャナ部に、原稿を読み取らせるステップと、
データ変換部に、前記スキャナ部が読み取った原稿の画像データファイルを生成させるステップと、
記憶部に、前記画像データファイルを保存画像データファイルとして保持させるステップと、
データ検索部に、前記スキャナ部が新たに読み取った別原稿に基づいて前記データ変換部により生成された前記別原稿のスキャン画像データファイルに含まれる画像データを検索キーとして前記記憶部に保持された保存画像データファイルを検索させ、前記検索キーの画像に対応する画像を有する保存画像データファイルを特定保存画像データファイルとして特定させるステップと、
データ更新処理部に、前記検索キーとして用いられた画像データ以外の前記スキャン画像データファイルに含まれる画像データの少なくとも一部分を用いて、前記特定保存画像データファイルを更新させるステップと、を有するプログラム。
【発明の詳細な説明】
【技術分野】
【０００１】
本発明は、画像処理装置に関し、特に、原稿の画像を読み取って原稿画像の電子データを生成する画像処理装置に関する。
【背景技術】
【０００２】
紙等の記録媒体に記載された画像（原稿画像）を読み取り、読み取った画像から画像データを生成する画像処理装置（スキャナ装置）が市場に流通されている。また、近年は、スキャナ機能に加え、プリンタ機能、ファクシミリ機能、コピー機能等を併せ持ったデジタル複合機と称される画像処理装置も市場を流通している。デジタル複合機においては、原稿画像から生成したデジタルデータを自機に備えるハードディスク等記憶装置内の記憶領域（ボックス（ＢＯＸ））に記憶する機能（ＳｃａｎＴｏＢｏｘ機能）を備えるものもある。
【０００３】
いずれの画像処理装置であっても、大量の（多くのページの）文書を画像処理装置に読み取らせて所定の記憶領域（例えば、画像処理装置の所定の記憶領域であるボックス（ＢＯＸ））にデータファイルとして保存するには、多くのページを順々に読み取らせるために、かなりの長時間を要する。
【０００４】
特許文献１（特開平８−２３７４０３号公報）は、画像形成用ネットワークシステムにおける仕事（ジョブ）制御装置を開示する。当該特許文献１に記載の仕事（ジョブ）制御装置は、スキャナ動作制御部と、画像データ受信部と、画像データをジョブごとに管理蓄積する画像データ蓄積部と、ジョブの生成・更新・破棄・実行を制御するシステムの仕事（ジョブ）管理制御部とを含む。この、システムの仕事管理制御部は、スキャナ装置において原稿をスキャンする動作が一旦中断され、その後に再開された場合に、当該中断を挟んだ２つのスキャン動作を１のジョブにおける連続したものとして扱い、１つの画像データを作成するようにスキャナ装置を制御する。
【０００５】
特許文献１の画像形成用ネットワークシステムは、スキャン動作が中断された場合に、中断までに読み込んだ画像の画像データを未完成の状態に保留し、再開された後に読み込まれた画像の画像データと結合して１つの画像データファイルを作成することができる。
【０００６】
このように、特許文献１は、他のユーザに画像処理装置（スキャナ装置）を使用させるために一旦スキャンを中断し、スキャンで生成した画像データを一時保管し、スキャンを再開した後で生成した画像データと結合させる技術を開示する。ただし、特許文献１が開示する技術では、スキャンを完了させた後で当該スキャンにより生成された画像データファイルに対して、別途スキャンして得た画像データを追加することはできない。
【０００７】
実際の画像処理装置の使用においては、スキャンを完了させた後になって、原稿の一部ページが抜けていることや、原稿の一部ページに誤記があることが発見されることがある。そのような場合、以前のスキャンにかかる画像データファイルにおいて抜け落ちているページを追加したり、誤記が含まれるページを差し替えたりするために、再度、多くのページからなる原稿をスキャンし直す必要がある。
【０００８】
また、スキャンで生成される画像データファイルを閲覧権限の無い記憶領域（ボックス（ＢＯＸ））へ保存した場合には、当該ボックスに対して閲覧権限を有する他のユーザに対し、以前のデータと、新たに作成したデータとの差し替えを依頼しなければならない。
【先行技術文献】
【特許文献】
【０００９】
【特許文献１】特開平８−２３７４０３号公報
【発明の概要】
【発明が解決しようとする課題】
【００１０】
上記問題点を鑑み、本発明は、簡便な操作により、既にスキャンが完了されて所定の記憶領域に保存されている原稿画像データファイルを、後でスキャンして得た原稿画像データで更新することができる画像処理装置を提供する。
【課題を解決するための手段】
【００１１】
本発明は、その一態様においては、原稿を読み取るスキャナ部と、スキャナ部が読み取った原稿の画像データファイルを生成するデータ変換部と、画像データファイルを保存画像データファイルとして保持する記憶部と、スキャナ部が新たに読み取った別原稿に基づいてデータ変換部により生成された別原稿のスキャン画像データファイルに含まれる画像データを検索キーとして記憶部に保持された保存画像データファイルを検索し、検索キーの画像に対応する画像を有する保存画像データファイルを特定保存画像データファイルとして特定するデータ検索部と、検索キーとして用いられた画像データ以外のスキャン画像データファイルに含まれる画像データの少なくとも一部分を用いて、特定保存画像データファイルを更新するデータ更新処理部と、を有する画像処理装置である。
【００１２】
本発明の一態様においては、データ変換部は、ページ構成を備えた画像データファイルを生成し、データ検索部は、別原稿のスキャン画像データファイルの少なくとも１つのページを検索キー・ページとして検索を実行し、特定保存画像データファイルに含まれる検索キー・ページに対応するページを特定ページとして特定し、データ更新処理部は、検索キー・ページとして用いられたページの画像データ以外のスキャン画像データファイルに含まれるページの画像データの少なくとも一部分を用いて、特定保存画像データファイルを更新することが好ましい。
【００１３】
本発明の一態様においては、データ更新処理部は、スキャン画像データファイルにおいて検索キー・ページよりも前にあるページの画像データを、特定保存画像データファイルにおいて特定ページよりも前のページとして特定保存画像データファイルに追加するようにして更新を行うことが好ましい。
【００１４】
本発明の一態様においては、データ更新処理部は、スキャン画像データファイルにおいて検索キー・ページよりも後ろにあるページの画像データを、特定保存画像データファイルにおいて特定ページよりも後ろのページとして特定保存画像データファイルに追加するようにして更新を行うことが好ましい。
【００１５】
本発明の一態様においては、データ検索部が、特定保存画像データとして複数の保存画像データを特定した場合、データ更新処理部は、複数の特定保存画像データの全てに対し、それぞれの特定ページにかかる更新を行うことが好ましい。
【００１６】
本発明の一態様においては、データ更新処理部は、検索キー・ページとして用いられたページの画像データ以外のスキャン画像データファイルに含まれるページの画像データの少なくとも一部分を、特定保存画像データファイルの特定ページと差し替えるようにして更新を行うことが好ましい。
【００１７】
本発明の一態様においては、データ検索部は、別原稿のスキャン画像データファイルの２つ以上のページを検索キー・ページとして検索を実行し、１つの特定保存画像データファイルに複数の特定ページが含まれる場合には、２つ以上の検索キー・ページの間に挟まれてスキャン画像データファイルに含まれるページの画像データの少なくとも一部分を、特定保存画像データファイルの複数の特定ページの間に挟まれたページと差し替えるようにして更新を行うことが好ましい。
【００１８】
本発明の一態様においては、さらに、スキャナ部が読み取ってデータ変換部が生成した画像データファイルを一時保存画像データファイルとして一時的に保持するスキャンデータ一時記憶部を有し、データ検索部は、記憶部に保持された保存画像データファイルに対する検索において特定保存画像データファイルを特定できなかった場合には、スキャンデータ一時記憶部に保持される一時保存画像データファイルに対して検索を実行することが好ましい。
【００１９】
本発明は、その別の一態様においては、スキャナ部が、原稿を読み取るステップと、データ変換部が、スキャナ部が読み取った原稿の画像データファイルを生成するステップと、記憶部が、画像データファイルを保存画像データファイルとして保持するステップと、データ検索部が、スキャナ部が新たに読み取った別原稿に基づいてデータ変換部により生成された別原稿のスキャン画像データファイルに含まれる画像データを検索キーとして記憶部に保持された保存画像データファイルを検索し、検索キーの画像に対応する画像を有する保存画像データファイルを特定保存画像データファイルとして特定するステップと、データ更新処理部が、検索キーとして用いられた画像データ以外のスキャン画像データファイルに含まれる画像データの少なくとも一部分を用いて、特定保存画像データファイルを更新するステップと、を有する画像処理方法である。
【００２０】
本発明は、そのさらに別の一態様においては、画像処理装置のコンピュータが読み取って実行可能なプログラムであって、スキャナ部に、原稿を読み取らせるステップと、データ変換部に、スキャナ部が読み取った原稿の画像データファイルを生成させるステップと、記憶部に、画像データファイルを保存画像データファイルとして保持させるステップと、データ検索部に、スキャナ部が新たに読み取った別原稿に基づいてデータ変換部により生成された別原稿のスキャン画像データファイルに含まれる画像データを検索キーとして記憶部に保持された保存画像データファイルを検索させ、検索キーの画像に対応する画像を有する保存画像データファイルを特定保存画像データファイルとして特定させるステップと、データ更新処理部に、検索キーとして用いられた画像データ以外のスキャン画像データファイルに含まれる画像データの少なくとも一部分を用いて、特定保存画像データファイルを更新させるステップと、を有するプログラムである。
【発明の効果】
【００２１】
本発明は、簡便な操作により、既にスキャンが完了されて所定の記憶領域に保存されている原稿画像データファイルを、後でスキャンして得た原稿画像データで更新することができる画像処理装置を提供するという、効果を奏する。
【図面の簡単な説明】
【００２２】
【図１】本発明にかかる実施の形態による画像処理装置のブロック図
【図２】ユーザ・インタフェース部におけるスキャンモード設定画面の表示例
【図３】ユーザ・インタフェース部におけるスキャンモード詳細設定画面の表示例
【図４】原稿ページを追加する動作モードの概念図
【図５】第２のスキャンにかかる原稿ページと更新された原稿画像データファイルの関係を示す図
【図６】原稿追加モードのフローチャート
【図７】原稿ページを差し替える動作モードの概念図
【図８】原稿差し替えモードのフローチャート
【発明を実施するための形態】
【００２３】
実施の形態においては、画像処理装置は、スキャナ機能、コピー機能、プリンタ機能等を併せ持つデジタル複合機である。当該デジタル複合機は、紙等の記録媒体に記録された画像を読み取って、当該画像にかかるデータファイル（原稿画像データファイル）を作成し、所定の記憶領域（ボックス（ＢＯＸ））へ保存する機能を有する。保存されたデータファイル（保存原稿画像データファイル）は、原稿と対応するページ構成を有することが可能である。以下の説明においては、複数ページからなる原稿をスキャンしてデータファイルを構成する例を用いて本実施の形態によるデジタル複合機の動作を説明するが、原稿は、単一ページからなる原稿であってもよい。また、画像処理装置は、スキャナ機能のみを有するスキャナ装置等の画像処理装置であってもよい。また、記憶領域は、画像処理装置の内部に構成されるほか、外部に構成される記憶装置であってもよい。
【００２４】
本実施の形態によるデジタル複合機は、データ処理のためのプロセッサ、および、データ記憶のためのメモリを搭載する。当該プロセッサおよびメモリは、デジタル複合機のコンピュータ主要部を構成する。該コンピュータ主要部は、プログラムを実行することにより、本実施の形態によるデジタル複合機としての動作を実現する。該プログラムは、メモリ、補助記憶装置としてのハードディスク等に保持されてよい。また、該プログラムは、光ディスク、ＵＳＢメモリといった記憶媒体を介してデジタル複合機へ提供されてもよい。また、該プログラムは、インターネット等のネットワークを介してデジタル複合機へ配信されてもよい。
【００２５】
本実施の形態によるデジタル複合機は、ページ構成を備えた画像データを、記憶部に保持することができる。以下、記憶部等に保持される画像データを、保存原稿画像データと称し、そのデータファイルを保存原稿画像データファイルと称する。保存原稿画像データファイルは、スキャン機能によってデジタル複合機が紙原稿から生成したデジタルデータファイルであってよいが、それに限定されない。保存原稿画像データファイルは、外部装置等との通信により取得されたデータファイルでもよい。
【００２６】
本実施の形態によるデジタル複合機は、単数または複数のページで構成される原稿（紙原稿等）を読み取って（スキャンして）、ページ構成を備えた画像データを生成し記憶部に保持することが可能である。以下、デジタル複合機が紙原稿等をスキャンして生成した画像データを、スキャン原稿画像データと称し、そのデータファイルをスキャン原稿画像データファイルと称する。
【００２７】
保存原稿画像データファイルは、過去において実施されたスキャンで生成されたスキャン原稿画像データファイルを含む。以下においては、注目しているスキャン動作において生成され保存される画像データファイルを、スキャン原稿画像データファイルと称することにする。
【００２８】
本実施の形態によるデジタル複合機は、スキャン機能に関し、特に特徴的な動作モードを備える。それらは、原稿追加モード、および、原稿差し替えモードである。
【００２９】
原稿追加モードにおいては、デジタル複合機は、スキャンした原稿の少なくとも１つのページに含まれる画像を検索キーとして（「検索キー・ページ」と称する。）、既に記憶部等に保存されている保存原稿画像データファイル中の各ページを検索し、一致もしくは所定基準以上の類似性を有するページ、および、当該ページを含む保存原稿画像データファイルを特定する。そして、デジタル複合機は、当該特定にかかる保存原稿画像データファイルを、「特定保存原稿画像データファイル」と称し、上記一致もしくは所定基準以上の類似性を有するページを、「特定ページ」と称する。
【００３０】
そして、本実施の形態によるデジタル複合機は、特定保存原稿画像データファイル等を特定すると、該ファイルの特定ページの前、または、後ろに、スキャンした原稿に含まれる（特定ページの他の）１つまたは複数のページを、追加するように、特定保存原稿画像データファイルを更新する。
【００３１】
原稿差し替えモードにおいては、デジタル複合機は、スキャンした原稿の少なくとも１つのページに含まれる画像を検索キーとして（「検索キー・ページ」と称する。）、既に記憶部等に保存されている保存原稿画像データファイル中の各ページを検索し、一致もしくは所定基準以上の類似性を有するページ（特定ページ）、および、当該ページを含む保存原稿画像データファイル（特定保存原稿画像データファイル）を特定する。
【００３２】
そして、本実施の形態によるデジタル複合機は、特定保存原稿画像データファイル等を特定すると、該ファイルの特定ページを、スキャンした原稿に含まれる（特定ページの他の）ページで差し替えるように、特定保存原稿画像データファイルを更新する。
【００３３】
こうすることにより、本実施の形態によるデジタル複合機においては、過去にスキャン等により生成され保存されている画像データファイルのページに、新たなスキャンにより生成された画像データを追加したり、保存されている画像データファイルのページを当該新たに生成された画像データで差し替えたりすることが可能である。デジタル複合機が、追加もしくは差し替えの対象となるデータファイルおよび対象となるページを検索するため、ユーザは、新たに原稿をスキャンさせるだけで保存されている画像データファイルを望ましい形で更新することができ、操作パネルを介した操作は不要である。そのため、ユーザは、過去にスキャンして生成したデータファイル中にページの抜け落ちや、誤記等を発見した場合にも、原稿に含まれる全てのページを再度改めてスキャンすることなしに、簡便に、追加もしくは差し替え用の原稿ページならびにデジタル複合機に当該追加もしくは差し替えの対象となるデータファイル中のページを特定させるための原稿ページ（検索キー・ページ）をデジタル複合機にスキャンさせるだけで保存原稿画像データファイルを修正して更新することが可能である。
【００３４】
さらに、本実施の形態によるデジタル複合機においては、保存原稿画像データファイルが、ユーザに閲覧権限が与えられていない記憶領域に保存されているような場合であっても、ユーザが操作パネル等を用いて該ファイルを指定する必要がないため、保存原稿画像データファイルの更新（ページの追加、ページの差し替え）が可能である。
【００３５】
＜デジタル複合機の構成＞
図１は、本実施の形態によるデジタル複合機１０１の構成を示すブロック図である。デジタル複合機１０１は、制御部１１によって制御される。当該制御部１１は、後述するデータ更新処理部１１ａを含んでいる。また、デジタル複合機１０１は、紙等の原稿を読み取って当該原稿の画像を電気信号に変換して出力するスキャナ部１３と、原稿画像の信号からデジタルデータ（原稿画像データファイル）を生成するデータ変換部１５と、原稿画像データファイルを一時的に保持するスキャンデータ一時記憶部（スキャン履歴記憶部）１９および原稿画像データファイルをユーザがユーザ・インタフェース部２３の操作部２３ｂで指定したボックス（ＢｏｘＡ２１１、ＢｏｘＢ２１３等）等に保持する記憶部２１と、スキャンデータ一時記憶部１９および記憶部２１を制御するデータ制御部１７と、表示部２３ａおよび操作部２３ｂを備えるユーザ・インタフェース部２３と、紙等の記録媒体に画像を印刷するプリンタ部２５とを有する。データ制御部１７は、後述するデータ検索部１７ａを含んでいる。スキャンデータ一時記憶部１９は、スキャンによって生成されたデータファイル等を一定の期間にわたり、スキャンの履歴データとして保持する。以下、スキャンデータ一時記憶部１９に保持されるデータを、「一時保存原稿画像データ（ファイル）」と称することもある。
【００３６】
制御部１１のデータ更新処理部１１ａは、データ制御部１７ａのデータ検索部１７ａが行うデータファイル検索の結果を受けて、検索で挙げられた保存原稿画像データファイル（特定（一時）保存原稿画像データファイル）に対する更新処理を、新たにスキャンして生成した原稿画像データ（スキャン原稿画像データ（ファイル））を用いて実行する。データ検索部１７ａは、スキャン原稿画像データ（ファイル）に含まれる少なくとも１つのページを検索キー（検索キー・ページ）として、当該ページに含まれる画像と一致もしくは所定の基準以上の類似性を示すページを、記憶部２１および／またはスキャンデータ一時記憶部１９に保持された（一時）保存原稿画像データのページから検索し、更新処理を行う対象としての原稿画像データファイル（特定（一時）保存原稿画像データファイル）およびページ（特定ページ）を特定する。
【００３７】
＜ユーザ・インタフェース部２３の表示＞
図２および図３は、それぞれ、ユーザ・インタフェース部２３の表示例を示す図である。図２は、デジタル複合機１０１がスキャンモードで動作するときに表示される画面（スキャンモード画面）の表示例である。なお、デジタル複合機１０１においては、ユーザ・インタフェース部２３は、タッチパネル付き表示装置（例えば、液晶ディスプレイ）であり、表示部２３ａは、操作部２３ｂを構成する。
【００３８】
図２においては、スキャンモード設定用のプルダウン・メニュー２３１、および、保存先設定用のプルダウン・メニュー２３３、決定ボタン２３５、および、キャンセル２３７が表示される。通常のスキャンを行う場合には、ユーザは、プルダウン・メニュー２３１からＳｃａｎＴｏＢｏｘ等を選択し、プルダウン・メニュー２３３から記憶させるボックスを指定する。プルダウン・メニュー２３３には、既に作成されているボックス（個人用ボックス等）がプルダウン・メニュー形式で表示される。プルダウン・メニュー２３３からボックスが指定されない場合には、デジタル複合機１０１は、共通ボックスに原稿画像データを保存する。以下においては、既に保存された原稿画像データに追加もしくは差し替えを行って当該原稿画像データを更新する「スキャン原稿編集モード」が選択された場合を説明する。
【００３９】
図３は、図２のスキャンモード設定プルダウン・メニュー２３１からスキャン原稿編集モードを選択したときに表示されるスキャンモード詳細設定画面の表示例の図である。
【００４０】
機能選択部２３９は、ユーザが、スキャン原稿編集モードを「原稿追加モード」で行うか、「原稿差し替えモード」で行うかを選択するための選択ボタンを構成する。
【００４１】
「原稿追加モード」は、（一時）保存原稿画像データファイルの特定のページの前または後ろに、スキャン原稿画像データファイルに含まれる少なくとも１ページを追加するようにして、（一時）保存原稿画像データファイルを更新するモードである。
【００４２】
「原稿差し替えモード」は、（一時）保存原稿画像データファイルの特定のページを、スキャン原稿画像データファイルに含まれる少なくとも１ページで差し替えるようにして、（一時）保存原稿画像データファイルを更新するモードである。
【００４３】
＜原稿追加モードについて＞
これより、「原稿追加モード」の動作について説明する。図４は、「原稿追加モード」の概要を示す概略図である。
【００４４】
図４の左側は、「原稿追加モード」が実施される直前の時点における記憶部２１の状態を示し、図４の右側は、「原稿追加モード」が実施された直後の時点における記憶部２１の状態を示す。図４中央部は、「原稿追加モード」において実施される動作を、時間の経過に沿って、Ｉ→ＩＩ→ＩＩＩとして示す。
【００４５】
「原稿追加モード」が実施される直前の時点において、記憶部２１は、個人ボックスＡ２１１に、保存原稿画像データファイルＡ、Ｂ、および、Ｃを保持し、個人ボックスＢ２１３に、保存原稿画像データファイルＤを保持する。保存原稿画像データファイルＡは、ページ１ないし３の３ページを有するデータファイルである。保存原稿画像データファイルＢ、Ｃ、および、Ｄも、それぞれ、３ページ、１ページ、および、３ページを有する。
【００４６】
次に、「原稿追加モード」によりユーザが、保存原稿画像データファイルＡに対し、第４のページを追加する場合を例に示す。
【００４７】
ユーザは、「スキャン原稿」として、原稿Ａ頁３および原稿Ａ頁４を用意して、２ページのスキャン原稿をデジタル複合機１０１のスキャナ部１３に読み取らせる（図４中の「Ｉ」）。原稿Ａ頁３は、ボックス２１１に保持される保存原稿画像データファイルＡの第３ページと対応する紙原稿であり、原稿Ａ頁４は、保存原稿画像データファイルＡには含まれない第４のページの紙原稿である。
【００４８】
すると、デジタル複合機１０１のデータ検索部１７ａ（図１）は、スキャン原稿データファイル中の原稿Ａ頁３の画像を検索キー（検索キー・ページ）として、記憶部２１中の保存原稿画像データファイルＡないしＤのページを検索する。当該検索により、データ検索部１７ａは、保存原稿画像データファイルＡおよびその原稿Ａ頁３を、「原稿追加モード」の処理対象（「特定保存原稿画像データファイル」および「特定ページ」）として特定する（図４中の「ＩＩ」）。
【００４９】
次に、デジタル複合機１０１のデータ更新処理部１１ａ（図１）は、特定原稿画像データファイルとしての保存原稿画像データファイルＡの、特定ページとしての原稿Ａ頁３の後に、スキャン原稿画像データファイルに含まれ検索キー・ページの後ろにあるページ（原稿Ａ頁４）を追加するように、更新処理を行い、更新された保存原稿画像データファイルＡを、ボックス２１１に保存する。
【００５０】
このようにして、デジタル複合機１０１は、検索キー・ページ（原稿Ａ頁３）と、追加するページ（原稿Ａ頁４）のみからなるスキャン原稿画像データファイルに基づいて、処理対象となる保存原稿画像データファイルおよび追加されるページの挿入位置を特定し、保存原稿画像データファイルの更新処理を実行する。
【００５１】
上記例においては、検索キー・ページとして、スキャン原稿画像データファイル中の最初のページが用いられたが、検索キー・ページの位置は、スキャン原稿画像データファイルの最初のページでなくともよい。デジタル複合機１０１のデータ検索部１７ａ（図１）は、最初のページを検索キー・ページとして用いた検索によりデータファイルを特定できなかった場合、スキャン原稿画像データファイルの第２のページを検索キー・ページとして同様の検索を行う。そして、順次、追加対象のデータファイルおよびページが特定されるまで、検索キー・ページを変更してデータ検索を実行する。
【００５２】
図５は、スキャン原稿に含まれる追加するページ（「追加原稿頁」）と、検索キー・ページ（「挿入位置指定用原稿頁」）との間の前後関係と、保存原稿画像データファイルにおける追加ページの挿入位置との関係を示す図である。
【００５３】
図５（ａ）は、スキャン原稿において、追加するページが、検索キー・ページ（既に保存原稿画像データファイル中に対応するページが含まれる原稿ページ）よりも、先にある場合の、保存原稿画像データファイルにおける追加ページの挿入位置を説明する図である。このようなスキャン原稿の構成は、保存原稿画像データファイルの先頭ページの前に新たにページを追加するような場合に特に有効である。
【００５４】
処理直前の時点において、保存原稿画像データファイルＡは、原稿Ａ頁２、原稿Ａ頁３、原稿Ａ頁４の３ページを有する。ここで、スキャン原稿として、原稿Ａ頁３および原稿Ａ頁４をこの順番で有する原稿をデジタル複合機１０１に「原稿追加モード」でスキャンさせると、デジタル複合機１０１は、原稿Ａ頁２の前に原稿Ａ頁１を追加的に挿入して、更新された保存原稿画像データファイルＡを作成し保存する。
【００５５】
図５（ｂ）は、スキャン原稿において、追加するページが、検索キー・ページ（既に保存原稿画像データファイル中に対応するページが含まれる原稿ページ）よりも、先にある場合、および、後にある場合の、保存原稿画像データファイルにおける追加ページの挿入位置を説明する図である。このようなスキャン原稿の構成は、保存原稿画像データファイルの中間部にあるページの前、または、後ろに新たにページを追加するような場合に特に有効である。
【００５６】
処理直前の時点において、保存原稿画像データファイルＡは、原稿Ａ頁１、原稿Ａ頁３、原稿Ａ頁４の３ページを有する。ここで、スキャン原稿として、原稿Ａ頁１および原稿Ａ頁２をこの順番で有する原稿をデジタル複合機１０１に「原稿追加モード」でスキャンさせると、デジタル複合機１０１は、原稿Ａ頁１の後ろに原稿Ａ頁２を追加的に挿入して、更新された保存原稿画像データファイルＡを作成し保存する。あるいは、スキャン原稿として、原稿Ａ頁２および原稿Ａ頁１をこの順番で有する原稿をデジタル複合機１０１に「原稿追加モード」でスキャンさせると、デジタル複合機１０１は、原稿Ａ頁１の前に原稿Ａ頁２を追加的に挿入して、更新された保存原稿画像データファイルＡを作成し保存する。
【００５７】
図５（ｃ）は、スキャン原稿において、追加するページが、検索キー・ページ（既に保存原稿画像データファイル中に対応するページが含まれる原稿ページ）よりも、後ろにある場合の、保存原稿画像データファイルにおける追加ページの挿入位置を説明する図である。このようなスキャン原稿の構成は、保存原稿画像データファイルの最終ページの後ろに新たにページを追加するような場合に特に有効である。
【００５８】
処理直前の時点において、保存原稿画像データファイルＡは、原稿Ａ頁１、原稿Ａ頁２、原稿Ａ頁３の３ページを有する。ここで、スキャン原稿として、原稿Ａ頁３および原稿Ａ頁４をこの順番で有する原稿をデジタル複合機１０１に「原稿追加モード」でスキャンさせると、デジタル複合機１０１は、原稿Ａ頁３の後ろに原稿Ａ頁４を追加的に挿入して、更新された保存原稿画像データファイルＡを作成し保存する。
【００５９】
＜原稿追加モードの処理フロー＞
図６は、原稿追加モードにかかる処理のフローチャートである。
【００６０】
デジタル複合機１０１には、スキャン原稿編集モードの「原稿追加モード」が設定される（図３）とする。
【００６１】
ステップＳ１０１において、デジタル複合機１０１は、検索キー・ページの原稿および追加する原稿をユーザが望む順序で含んだスキャン原稿をスキャンし、スキャン原稿画像データを生成する。
【００６２】
ステップＳ１０３において、デジタル複合機１０１のデータ検索部１７ａ（図１）は、ボックス（記憶部２１）にデータファイルが保持されているか、否か、を判定する。本判定は、以前に行ったスキャン等で生成されたデータファイルが記憶部２１（図１）およびスキャンデータ一時記憶部１９（図１）に含まれるか、含まれないか、を判断することにより行われればよい。
データ検索部１７ａ（図１）が、ボックス（記憶部２１）にデータファイルが保持されている、と判定した場合（ステップＳ１０３における「ＹＥＳ」）、処理はステップ１０５へ移行する。
データ検索部１７ａ（図１）が、ボックス（記憶部２１）にデータファイルが保持されていない、と判定した場合（ステップＳ１０３における「ＮＯ」）、処理は終了する。
【００６３】
ステップＳ１０５において、デジタル複合機１０１のデータ検索部１７ａ（図１）は、スキャン原稿画像データに含まれるページ（例えば、最初のページ）を検索キー・ページとして、保持されている保存原稿画像データファイル（一時保存原稿画像データファイルも含む。）中のページを検索する。
【００６４】
ステップＳ１０７において、デジタル複合機１０１のデータ検索部１７ａ（図１）は、検索キー・ページと一致した（少なくとも所定の基準以上の類似性を有する）ページを含んだ保存原稿画像データファイルを（特定保存原稿画像データファイルとして）特定し、検索キー・ページと一致した（少なくとも所定の基準以上の類似性を有する）ページを（特定ページとして）特定する。
【００６５】
ステップＳ１０５およびステップＳ１０７の処理において、特定保存原稿画像データファイルおよび特定ページを特定できなかった場合には、スキャン原稿画像データの検索キー・ページを変えて同様の処理を行えばよい。なお、上記ステップＳ１０５における「検索」およびステップＳ１０７における「特定」は、既知の画像識別技術を用いて行えばよい。
【００６６】
ステップＳ１０９において、デジタル複合機１０１のデータ更新処理部１１ａ（図１）は、スキャン原稿画像データが検索キー・ページの前に原稿ページを有するか、否か、を判断する。
データ更新処理部１１ａ（図１）が、検索キー・ページの前に別の原稿ページがある、と判断した場合（ステップＳ１０９における「ＹＥＳ」）、処理はステップＳ１１３へ移行する。
データ更新処理部１１ａ（図１）が、検索キー・ページの前に別の原稿ページがない（後ろに別のページがある）、と判断した場合（ステップＳ１０９における「ＮＯ」）、処理はステップＳ１１１へ移行する。
【００６７】
ステップＳ１１１において、デジタル複合機１０１のデータ更新処理部１１ａ（図１）は、特定保存原稿画像データファイルの特定ページの後ろに、スキャン画像データにおいて検索キー・ページの後ろにある原稿ページを追加的に挿入するようにして、特定保存原稿画像データファイルを更新する。
【００６８】
ステップＳ１１３において、デジタル複合機１０１のデータ更新処理部１１ａ（図１）は、特定保存原稿画像データファイルの特定ページの前に、スキャン画像データにおいて検索キー・ページの前にある原稿ページを追加的に挿入するようにして、特定保存原稿画像データファイルを更新する。
【００６９】
なお、ステップＳ１０９における判断と関連し、スキャン画像データファイルが検索キー・ページの前および後ろの両方に別の原稿ページを含む場合には、ステップＳ１１３およびステップＳ１１１の処理の両方を、検索キー・ページの前にある原稿ページおよび検索キー・ページの後ろにある原稿ページそれぞれについて行えばよい。
【００７０】
このように、「原稿追加モード」においては、既に作成が完了し保存されている原稿画像データファイルに追加したい１つまたは複数の原稿ページを、該保存された原稿画像データファイルに含まれる少なくとも１ページに対応する原稿と一緒に、デジタル複合機１０１にスキャンさせることで、デジタル複合機１０１が、保存されている原稿画像データファイルとそのファイル中のページを検索、特定し、特定されたファイルの特定されたページの前および／または後ろに新たにページを追加するようにして、該保存された原稿画像データファイルを更新することができる。
【００７１】
上述した原稿追加モードの実行例においては、ステップＳ１０５およびステップＳ１０７による「検索」および「特定」により単一の保存原稿画像データファイルが特定され、単一のページが特定ページとして特定される場合が示される。しかしながら、「検索」および「特定」によって、複数の保存原稿画像データファイルが特定された場合には、各保存原稿画像データファイルに対し、同様の更新処理を行ってよい。また、１つの特定保存原稿画像データファイルにおいて複数のページが特定ページとして特定されるような場合には、当該１つの特定保存原稿画像データファイルの複数の特定ページを新たなページの追加的挿入の基準位置として複数の追加処理をしてよい。
【００７２】
また、保存原稿画像データファイルに含まれる複数のページを含んだスキャン原稿をデジタル複合機１０１にスキャンさせることで、複数種類の特定ページを特定し、各特定ページに対して上述の追加的挿入処理を行うことにより、更新処理を構成してもよい。
【００７３】
従来、スキャンを完了した後でスキャンし忘れた原稿ページを発見した場合には、該ページを加えて、再度改めて全ページをスキャンする必要があった。原稿のページ数が多い場合には、このような再スキャンは無駄な時間を多く消費させることになっていたが、本実施の形態によるデジタル複合機１０１では、再スキャンにかかる時間を最小限に抑えることが可能である。また、本デジタル複合機１０１では、当該追加的挿入にかかる操作において、ユーザが、操作部２３ｂにより追加的挿入の対象となる保存済の原稿画像データファイルを指定する手間を要さず、ユーザにとっては、さらに簡便に短時間で、保存済の原稿画像データを更新することが可能になっている。これにより、本デジタル複合機１０１では、作業効率の向上が実現される。
【００７４】
＜原稿差し替えモードについて＞
次に、以下、「原稿差し替えモード」の動作について説明する。図７は、「原稿差し替えモード」の概要を示す概略図である。
【００７５】
図４と同様、図７の左側は、「原稿差し替えモード」が実施される直前の時点における記憶部２１の状態を示し、図７の右側は、「原稿差し替えモード」が実施された直後の時点における記憶部２１の状態を示す。図７中央部は、「原稿差し替えモード」において実施される動作を、時間の経過に沿って、Ｉ→ＩＩ→ＩＩＩとして示す。
【００７６】
以下、「原稿差し替えモード」によりユーザが、保存原稿画像データファイルＡに対し、第２のページを差し替えする場合を例に示す。
【００７７】
ユーザは、「スキャン原稿」として、原稿Ａ頁２および原稿Ａ頁２’を用意して、２ページのスキャン原稿をデジタル複合機１０１のスキャナ部１３に読み取らせる（図４中の「Ｉ」）。原稿Ａ頁２は、ボックス２１１に保持される保存原稿画像データファイルＡの第２ページと対応する紙原稿であり、原稿Ａ頁２’は、保存原稿画像データファイルＡには含まれない（差し替え後の）第２のページの紙原稿である。
【００７８】
すると、デジタル複合機１０１のデータ検索部１７ａ（図１）は、スキャン原稿データファイル中の原稿Ａ頁２の画像を検索キー（検索キー・ページ）として、記憶部２１中の保存原稿画像データファイルＡないしＤのページを検索する。当該検索により、データ検索部１７ａは、保存原稿画像データファイルＡおよびその原稿Ａ頁２を、「原稿差し替えモード」の処理対象（「特定保存原稿画像データファイル」および「特定ページ」）として特定する（図４中の「ＩＩ」）。
【００７９】
次に、デジタル複合機１０１のデータ更新処理部１１ａ（図１）は、特定原稿画像データファイルとしての保存原稿画像データファイルＡの、特定ページとしての原稿Ａ頁２を、スキャン原稿画像データファイルに含まれ検索キー・ページの後ろあるページ（原稿Ａ頁２’）で差し替えるように、更新処理を行い、更新された保存原稿画像データファイルＡを、ボックス２１１に保存する。
【００８０】
このようにして、デジタル複合機１０１は、検索キー・ページ（原稿Ａ頁２）と、差し替えるページ（原稿Ａ頁２’）のみからなるスキャン原稿画像データファイルに基づいて、処理対象となる保存原稿画像データファイルおよび差し替えられるページを特定し、保存原稿画像データファイルの更新処理を実行する。
【００８１】
このように、「原稿差し替えモード」では、原稿のスキャンが完了し原稿画像データファイルが保存された後で、原稿の一部の誤記に気付いたような場合に、差し替えるための新たな原稿と差し替えられる保存済の原稿のみをスキャン原稿としてデジタル複合機１０１にスキャンさせることで、デジタル複合機１０１が差し替えられるページを含んだ保存原稿画像データファイルを特定し、差し替えられるページを特定し、スキャンした新たな原稿画像データで当該ページを差し替えるように、保存原稿画像データを更新する。
【００８２】
＜原稿差し替えモードの処理フロー＞
図８は、原稿差し替えモードにかかる処理のフローチャートである。
【００８３】
デジタル複合機１０１には、スキャン原稿編集モードの「原稿差し替えモード」が設定される（図３）とする。
【００８４】
ステップＳ２０１において、デジタル複合機１０１は、検索キー・ページの原稿（既に保存され、差し替えられることになる原稿）および差し替える原稿を任意の順序で（望ましくは、前記した順で）含んだスキャン原稿をスキャンし、スキャン原稿画像データを生成する。
【００８５】
ステップＳ２０３において、デジタル複合機１０１のデータ検索部１７ａ（図１）は、ボックス（記憶部２１）にデータファイルが保持されているか、否か、を判定する。本判定は、以前に行ったスキャン等で生成されたデータファイルが記憶部２１（図１）に含まれるか、含まれないか、を判断することにより行われればよい。
データ検索部１７ａ（図１）が、ボックス（記憶部２１）にデータファイルが保持されている、と判定した場合（ステップＳ２０３における「ＹＥＳ」）、処理はステップ２０５へ移行する。
データ検索部１７ａ（図１）が、ボックス（記憶部２１）にデータファイルが保持されていない、と判定した場合（ステップＳ２０３における「ＮＯ」）、処理はステップＳ２１３へ移行する。
【００８６】
ステップＳ２０５において、デジタル複合機１０１のデータ検索部１７ａ（図１）は、スキャン原稿画像データに含まれるページ（例えば、最初のページ）を検索キー・ページとして、保持されている保存原稿画像データファイル中のページを検索する。
【００８７】
ステップＳ２０７において、デジタル複合機１０１のデータ検索部１７ａ（図１）は、検索キー・ページと一致した（少なくとも所定の基準以上の類似性を有する）ページを含んだ保存原稿画像データファイルを（特定保存原稿画像データファイルとして）特定し、検索キー・ページと一致した（少なくとも所定の基準以上の類似性を有する）ページを（特定ページとして）特定する。
【００８８】
ステップＳ１０５およびステップＳ１０７と同様、ステップＳ２０５およびステップＳ２０７の処理において、特定保存原稿画像データファイルおよび特定ページを特定できなかった場合には、スキャン原稿画像データの検索キー・ページを変えて同様の処理を行えばよい。なお、上記ステップＳ２０５における「検索」およびステップＳ２０７における「特定」は、既知の画像識別技術を用いて行えばよい。
【００８９】
ステップＳ２０９において、デジタル複合機１０１のデータ検索部１７ａ（図１）は、特定保存原稿画像データファイル（および特定ページ）を特定することができたか、否か、について判定する。
データ検索部１７ａ（図１）が、特定保存原稿画像データファイル（および特定ページ）を特定できた、と判定した場合（ステップＳ２０９における「ＹＥＳ」）、処理はステップＳ２１１へ移行する。
データ検索部１７ａ（図１）が、特定保存原稿画像データファイル（および特定ページ）を特定できなかった、と判定した場合（ステップＳ２０９における「ＮＯ」）、処理はステップＳ２１３へ移行する。
【００９０】
ステップＳ２１１において、デジタル複合機１０１のデータ更新処理部１１ａ（図１）は、特定保存原稿画像データファイルの特定ページを、スキャン画像データの（望ましくは、検索キー・ページの後ろにある）差し替え用原稿ページで差し替えるようにして、特定保存原稿画像データファイルを更新する。
【００９１】
ステップＳ２１３以降において、つまり、記憶部２１のボックスにデータファイルが含まれない場合（ステップＳ２０３から移行した場合）、あるいは、記憶部２１のボックスに含まれるデータファイルから特定保存原稿画像データファイルを特定できなかった場合（ステップＳ２０９から移行した場合）、デジタル複合機１０１のデータ検索部１７ａ（図１）は、スキャンデータ一時記憶部１９（図１）に保持されている一時保存原稿画像データファイルに対して検索を行う。
【００９２】
ステップＳ２１３において、デジタル複合機１０１のデータ検索部１７ａ（図１）は、スキャンデータ一時記憶部１９（図１）に原稿画像データ（一時保存原稿画像データファイル）が保持されているか、否か、を判定する。本判定は、以前に行ったスキャン等で生成されたデータファイルがスキャンデータ一時記憶部１９（図１）に含まれるか、含まれないか、を判断することにより行われればよい。
データ検索部１７ａ（図１）がスキャンデータ一時記憶部１９（図１）に原稿画像データ（一時保存原稿画像データファイル）が保持されている、と判定した場合（ステップＳ２１３における「ＹＥＳ」）、処理はステップＳ２１５へ移行する。
データ検索部１７ａ（図１）がスキャンデータ一時記憶部１９（図１）に原稿画像データ（一時保存原稿画像データファイル）が保持されていない、と判定した場合（ステップＳ２１３における「ＮＯ」）、処理は終了する。
【００９３】
ステップＳ２１５において、デジタル複合機１０１のデータ検索部１７ａ（図１）は、スキャン原稿画像データに含まれるページ（例えば、最初のページ）を検索キー・ページとして、一時的に保持されている一時保存原稿画像データファイル中のページを検索する。
【００９４】
ステップＳ２１７において、デジタル複合機１０１のデータ検索部１７ａ（図１）は、検索キー・ページと一致した（少なくとも所定の基準以上の類似性を有する）ページを含んだ一時保存原稿画像データファイルを（特定一時保存原稿画像データファイルとして）特定し、検索キー・ページと一致した（少なくとも所定の基準以上の類似性を有する）ページを（特定ページとして）特定する。
【００９５】
ステップＳ２０５およびステップＳ２０７と同様、ステップＳ２１５およびステップＳ２１７の処理において、特定保存原稿画像データファイルおよび特定ページを特定できなかった場合には、スキャン原稿画像データの検索キー・ページを変えて同様の処理を行えばよい。
【００９６】
ステップＳ２１９において、デジタル複合機１０１のデータ更新処理部１１ａ（図１）は、特定一時保存原稿画像データファイルの特定ページを、スキャン画像データの（望ましくは、検索キー・ページの後ろにある）差し替え用原稿ページで差し替えるようにして、特定保存原稿画像データファイルを更新する。
【００９７】
このように、「原稿差し替えモード」においては、既に作成が完了し保存されている原稿画像データファイルのページと差し替えるように挿入したい１つまたは複数の原稿ページを、該保存された原稿画像データファイルに含まれる少なくとも１ページに対応する原稿と一緒に、デジタル複合機１０１にスキャンさせることで、デジタル複合機１０１が、保存されている原稿画像データファイルとそのファイル中のページを検索、特定し、特定されたファイルの特定されたページを、新たにスキャンした原稿ページで差し替えるようにして、該保存された原稿画像データファイルを更新することができる。
【００９８】
上述した原稿差し替えモードの実行例においては、ステップＳ２０５およびステップＳ２０７ならびにステップＳ２１５およびステップＳ２１７による「検索」および「特定」により単一の保存原稿画像データファイルが特定され、単一のページが特定ページとして特定される場合が示される。しかしながら、「検索」および「特定」によって、複数の保存原稿画像データファイルが特定された場合には、各保存原稿画像データファイルに対し、同様の更新処理を行ってよい。また、１つの特定保存原稿画像データファイルにおいて複数のページが特定ページとして特定されるような場合には、当該１つの特定保存原稿画像データファイルの複数の特定ページそれぞれを、新たな原稿ページで差し替えるように処理をしてよい。
【００９９】
また、１つの保存原稿画像データファイルに含まれる２つ（以上）のページを含み、当該２つ（以上）のページの間に（差し替えたい）新たな原稿を挟んで構成されたスキャン原稿をデジタル複合機１０１にスキャンさせることで、２つ（以上）（の種類）の特定ページを特定し、特定保存画像データファイルにおいてそれら特定ページの間に含まれる全てのページを、スキャン原稿画像データにおいて当該２つ（以上）のページの間に含まれる１つまたは複数の新たな原稿ページで差し替えるように処理をしてよい。この場合、デジタル複合機１０１は、スキャン原稿画像データに含まれる全てのページについて、それと対応するページが保存原稿画像データに含まれるかどうか検索し、複数の対応するページを複数の特定ページとして特定すればよい。
【０１００】
従来、スキャンを完了した後で原稿の誤記を発見した場合には、該ページを修正ページに差し替えて、再度改めて全ページをスキャンする必要があった。原稿のページ数が多い場合には、このような再スキャンは無駄な時間を多く消費させることになっていたが、本実施の形態によるデジタル複合機１０１では、再スキャンにかかる時間を最小限に抑えることが可能である。また、本デジタル複合機１０１では、当該差し替えにかかる操作において、ユーザが、操作部２３ｂにより差し替えの対象となる保存済の原稿画像データファイルを指定する手間を要さず、ユーザにとっては、さらに簡便に短時間で、保存済の原稿画像データを更新することが可能になっている。これにより、本デジタル複合機１０１では、作業効率の向上が実現される。
【０１０１】
本実施の形態においては、特定保存原稿画像データは複数のページを有するデータファイルであったが、単一のページ、すなわち、ページ構造を有さない画像データファイルにたいしても、本実施の形態において説明した処理を実施することは可能である。
【産業上の利用可能性】
【０１０２】
本発明は、スキャナ機能を有する画像処理装置として有用である。
【符号の説明】
【０１０３】
１１  ・・・  制御部
１１ａ・・・  データ更新処理部
１３  ・・・  スキャナ部
１５  ・・・  データ変換部
１７  ・・・  データ制御部
１７ａ・・・  データ検索部
１９  ・・・  スキャンデータ一時記憶部
２１  ・・・  記憶部
２１１・・・  ボックスＡ
２１３・・・  ボックスＢ
２３  ・・・  ユーザ・インタフェース部
２３ａ・・・  表示部
２３ｂ・・・  操作部
２５  ・・・  プリンタ部
【図１】
2011066672.tif 000003
【図２】
2011066672.tif 000004
【図３】
2011066672.tif 000005
【図４】
2011066672.tif 000006
【図５】
2011066672.tif 000007
【図６】
2011066672.tif 000008
【図７】
2011066672.tif 000009
【図８】
2011066672.tif 000010